(57)【要約】【課題】本発明の課題は、光源ユニットを器具本体に取り付ける作業の安全性を向上できる照明器具を提供することである。【解決手段】照明器具１は、光源ユニット２と、 光源ユニット２が取り付けられる器具本体１０と、を備える。光源ユニット２は、光源を点灯させる電源ユニット６と、取付具８Ａと、電源ユニット６と取付具８Ａとが取り付けられる取付部材４と、を有する。器具本体１０は、光源ユニット２を器具本体１０に取り付けるために取付具８Ａと結合される結合部１１４Ａを有する。電源ユニット６及び取付具８Ａは、電源ユニット６と取付具８Ａとの間に充電部分（電線）が存在しないように、取付部材４の一面４１０に所定方向に沿って並ぶ。【選択図】図１
2018147667.tif 000002
【特許請求の範囲】
【請求項１】
光源ユニットと、
前記光源ユニットが取り付けられる器具本体と、
を備え、
前記光源ユニットは、光源を点灯させる電源ユニットと、取付具と、前記電源ユニットと前記取付具とが取り付けられる取付板と、を有し、
前記器具本体は、前記光源ユニットを前記器具本体に取り付けるために前記取付具と結合される結合部を有し、
前記電源ユニット及び前記取付具は、前記電源ユニットと前記取付具との間に充電部分が存在しないように、前記取付板の一面に所定方向に沿って並ぶ、
照明器具。
【請求項２】
前記電源ユニットは、長尺の箱状のケースと、前記ケースの長手方向の一端に配置されるコネクタと、を有し、
前記ケースの長手方向は、前記所定方向と交差する、
請求項１の照明器具。
【請求項３】
前記取付具は、前記所定方向において、前記コネクタと対向せずに前記ケースと対向する、
請求項２の照明器具。
【請求項４】
前記光源ユニットは、前記充電部分として、電線を有し、
前記電線は、第１端が前記コネクタに電気的に接続され、第２端が前記電源ユニットに対して前記取付具とは反対側に位置する、
請求項２又は３の照明器具。
【請求項５】
前記取付具は、第１取付具であり、
前記光源ユニットは、第２取付具を有し、
前記結合部は、第１結合部であり、
前記器具本体は、前記第２取付具と結合される第２結合部を有し、
前記光源ユニットは、前記第１取付具及び前記第２取付具を前記第１結合部及び前記第２結合部にそれぞれ結合することで、前記器具本体に取り付けられ、
前記第１取付具と前記第２取付具とは、前記所定方向において、前記取付板の前記一面の両端にそれぞれ配置され、
前記電源ユニットは、前記第２取付具よりも前記第１取付具に近い、
請求項１〜４のいずれか一つの照明器具。
【発明の詳細な説明】
【技術分野】
【０００１】
本発明は、照明器具に関し、より詳細には、光源ユニットと、光源ユニットが取り付けられる器具本体とを有する照明器具に関する。
【背景技術】
【０００２】
特許文献１は、照明器具を開示する。この照明器具は、天井に取り付けられた器具本体と、器具本体の下部に着脱自在に設けられる発光体ユニット（光源ユニット）と、を備える。発光体ユニットは、捩りばねを有し、器具本体は、ばね受け具を有する。発光体ユニットは、捩りばねをばね受け具に嵌合することで、器具本体に取り付けられる。
【先行技術文献】
【特許文献】
【０００３】
【特許文献１】特開２０１５−１１５２４３号公報
【発明の概要】
【発明が解決しようとする課題】
【０００４】
特許文献１では、電源装置（電源ユニット）が発光体ユニットに設けられているが、捩りばねと電源装置との間に、電源装置に接続されたケーブルがある。そのため、作業者が発光体ユニットを器具本体に取り付ける作業を行う際に、捩りばねを変形させようとしてケーブルなどの充電部分に触れる可能性がある。
【０００５】
本発明の課題は、光源ユニットを器具本体に取り付ける作業の安全性を向上できる照明器具を提供することである。
【課題を解決するための手段】
【０００６】
本発明に係る一態様の照明器具は、光源ユニットと、前記光源ユニットが取り付けられる器具本体と、を備える。前記光源ユニットは、光源を点灯させる電源ユニットと、取付具と、前記電源ユニットと前記取付具とが取り付けられる取付板と、を有する。前記器具本体は、前記光源ユニットを前記器具本体に取り付けるために前記取付具と結合される結合部を有する。前記電源ユニット及び前記取付具は、前記電源ユニットと前記取付具との間に充電部分が存在しないように、前記取付板の一面に所定方向に沿って並ぶ。
【発明の効果】
【０００７】
本発明に係る一態様の照明器具は、光源ユニットを器具本体に取り付ける作業の安全性を向上できるという効果がある。
【図面の簡単な説明】
【０００８】
【図１】図１は、本発明の一実施形態に係る照明器具の上方から見た分解斜視図である。
【図２】図２は、同上の照明器具の斜視図である。
【図３】図３は、同上の照明器具の下方から見た分解斜視図である。
【図４】図４は、同上の照明器具における器具本体の分解斜視図である。
【図５】図５は、同上の照明器具における光源ユニットの下方から見た分解斜視図である。
【図６】図６は、同上の光源ユニットの上方から見た分解斜視図である。
【図７】図７は、同上の光源ユニットのカバーを省略した斜視図である。
【図８】図８は、同上の光源ユニットのカバーを省略した上面図である。
【図９】図９は、同上の光源ユニットの一部を省略した側面図である。
【図１０】図１０は、同上の変形例の光源ユニットの下方から見た斜視図である。
【発明を実施するための形態】
【０００９】
１．実施形態
１．１  構成
本発明の一実施形態に係る照明器具について、図面を参照して詳細に説明する。本実施形態の照明器具１は、天井に埋込配設される埋込型の照明器具である。
【００１０】
本実施形態の照明器具１は、図１〜図３に示すように、光源ユニット２と、光源ユニット２が取り付けられる器具本体１０とを備えている。ただし、以下の説明では、特に断りのない限り、図１及び図３において照明器具１の上下、前後及び左右の各方向を規定する。
【００１１】
器具本体１０は、図１、図３及び図４に示すように、下面が開口した直方体形状（箱形）の第１本体（収容部１１）と、上面及び下面が開口した四角錐台状（角筒状）の第２本体（反射部材１２）とを有している。収容部１１は、正方形状の底壁１１０と、底壁１１０の４つの辺から下向きに突出する長方形状の４つの側壁１１１とを有している。以下必要に応じて４つの側壁１１１を区別するために、左側、右側、前側、及び後側の側壁をそれぞれ符号１１１Ａ，１１１Ｂ，１１１Ｃ，１１１Ｄで表す。底壁１１０は、給電用の電源線が挿通される複数の挿通孔１１００を有している。挿通孔１１００に挿通される電源線は、底壁１１０の下面に取り付けられている端子台１３に電気的に接続される。さらに、底壁１１０は、建物の躯体（天井躯体９）に埋め込まれている吊りボルト９０が挿通される複数のボルト挿通孔１１０１を有している（図３参照）。これら複数のボルト挿通孔１１０１は、左右方向に一列に並ぶように底壁１１０に設けられている。収容部１１の底壁１１０及び４つの側壁１１１は、鋼板などの金属板によって一体に形成されることが好ましい。
【００１２】
左側の側壁１１１Ａ及び右側の側壁１１１Ｂの各々は、一対の係止部１１２と、一対の導通部１１３とを有している（図４参照）。一対の係止部１１２は、各側壁１１１Ａ（１１１Ｂ）の内側面から斜め上方に突出している。なお、これらの係止部１１２は、側壁１１１Ａ（１１１Ｂ）の一部が切り起こされて形成されることが好ましい。また、一対の導通部１１３は、側壁１１１Ａ（１１１Ｂ）の一部が切り起こされて形成されている（図４参照）。さらに、左側の側壁１１１Ａ及び右側の側壁１１１Ｂの各々は、一対の規制部１１５を有している。一対の規制部１１５は、概ね矩形平板状であって、各側壁１１１Ａ（１１１Ｂ）の長手方向（前後方向）の両端における内側の側面から、前側及び後側の側壁１１１Ｃ，１１１Ｄと平行するように突出している。なお、これらの規制部１１５は、各側壁１１１Ａ（１１１Ｂ）から切り起こして形成されることが好ましい。
【００１３】
前側の側壁１１１Ｃ及び後側の側壁１１１Ｄの各々は、一対の係止部１１２と、引掛部１１４とを有している（図４参照）。一対の係止部１１２は、左側及び右側の側壁１１１Ａ，１１１Ｂの係止部１１２と同様に、側壁１１１Ｃ（１１１Ｄ）の一部が切り起こされることにより、各側壁１１１Ｃ（１１１Ｄ）の内側面から斜め上方に突出するように形成されている。引掛部１１４Ａ，１１４Ｂは、側壁１１１Ｃ，１１１Ｄの長手方向の中央に設けられている。このように、器具本体１０は、一対の引掛部１１４Ａ，１１４Ｂを有する。引掛部１１４Ａは、光源ユニット２を器具本体１０に取り付けるために後述の取付具８（第１取付具８Ａ）と結合される結合部（第１結合部）を構成する。引掛部１１４Ｂは、光源ユニット２を器具本体１０に取り付けるために後述の取付具８（第２取付具８Ｂ）と結合される結合部（第２結合部）を構成する。引掛部１１４Ａ（１１４Ｂ）は、側壁１１１Ｃ（１１１Ｄ）をその厚み方向に貫通する孔１１４１を有している。孔１１４１は、後述する取付具８の取付ばね８０が差し込まれる孔である。ただし、前側の側壁１１１Ｃの引掛部１１４（１１４Ａ）の孔１１４１は、逆Ｕ字状に形成され、後側の側壁１１１Ｄの引掛部１１４（１１４Ｂ）の孔１１４１は、Ｈ字状に形成されている（図４参照）。
【００１４】
反射部材１２は、４つの反射板１２０と、各反射板１２０の上端からそれぞれ上向きに突出する４つの側板１２１と、各反射板１２０の下端から前後方向及び左右方向に突出する枠体１２２とを有している（図４参照）。以下必要に応じて４つの側板１２１を区別するために、左側、右側、前側、及び後側の側板をそれぞれ符号１２１Ａ，１２１Ｂ，１２１Ｃ，１２１Ｄで表す。各反射板１２０は、台形状に形成されている。各側板１２１は、概ね台形状に形成されている。なお、４つの反射板１２０により、軸方向（上下方向）に沿った両側の端部（上端部及び下端部）が開口した筒状の囲い部が構成されている。各側板１２１は、収容部１１の４つの側壁１１１のうちの対応する１つの側壁１１１にそれぞれ結合される。つまり、４つの側板１２１Ａ，１２１Ｂ，１２１Ｃ，１２１Ｄが、４つの側壁１１１Ａ，１１１Ｂ，１１１Ｃ，１１１Ｄに、それぞれ、結合される。枠体１２２は、正方形の枠状に形成され、４つの反射板１２０のそれぞれの下端とつながっている。反射部材１２は、４つの反射板１２０の内側面（反射面）によって光源ユニット２が発する光の配光を調整するように構成されている。
【００１５】
４つの側板１２１は、すべて同一の形状に形成されている。各側板１２１は、一対の矩形の係止孔１２３と、矩形の貫通孔１２４と、一対の台形状の孔１２５とを有している（図４参照）。貫通孔１２４は、側板１２１の長手方向におけるほぼ中央に設けられている。一対の孔１２５は、側板１２１の長手方向に沿って貫通孔１２４の両側に設けられている。一対の係止孔１２３は、その長手方向を側板１２１の長手方向に揃え、かつ、側板１２１の長手方向に沿って一対の孔１２５の両側に設けられている。４つの側板１２１にそれぞれ一対ずつ設けられている係止孔１２３に、収容部１１の４つの側壁１１１にそれぞれ一対ずつ設けられている係止部１１２のうちの対応する１つの係止部１１２が１つずつ挿入される。係止孔１２３に挿入された係止部１１２は、各側板１２１における係止孔１２３の上側の縁に当たることにより、側板１２１に係止される。つまり、係止部１１２は、側板１２１が底壁１１０から離れる向き（下向き）に変位することを妨げるように構成されている。
【００１６】
上述のように、合計８つの係止部１１２がそれぞれ側板１２１に係止されることにより、収容部１１と反射部材１２が結合されて器具本体１０が構成される（図３参照）。また、各側壁１１１に設けられている一対の導通部１１３は、対応する孔１２５に挿通されるように折り曲げられる（図３参照）。折り曲げられた導通部１１３は、側板１２１における孔１２５の縁に接触する。つまり、収容部１１は、導通部１１３を介して反射部材１２と電気的に導通している。さらに、側壁１１１Ｃ，１１１Ｄに設けられている引掛部１１４Ａ，１１４Ｂは、側壁１１１Ｃ，１１１Ｄ及び側板１２１Ｃ，１２１Ｄの厚み方向（前後方向）に沿って、側板１２１Ｃ，１２１Ｄに設けられている貫通孔１２４と重なっている（図３参照）。
【００１７】
ここで、器具本体を構成する２つの部品がねじ止めによって結合される場合、ねじ締め作業によって器具本体の組立作業の作業性が低下するおそれがある。これに対して、照明器具１の器具本体１０は、側壁１１１に設けられている係止部１１２が側板１２１に設けられている係止孔１２３に挿入されることで収容部１１と反射部材１２が結合されるように構成されている。そのため、ドライバなどの工具を使わずに収容部１１と反射部材１２を結合させることができ、器具本体１０の組立作業の作業性の低下を抑制することができる。また、係止部１１２は、側板１２１が底壁１１０から離れる向き（下向き）に変位することを妨げるように構成されている。そのため、地震による強い揺れが生じた場合に係止部１１２の係止が外れ難くなり、反射部材１２が落下する可能性を低くすることができる。
【００１８】
光源ユニット２は、図１、図５及び図６に示すように、２つのＬＥＤ（Light Emitting Diode）モジュール３と、取付部材４と、カバー５と、電源ユニット６と、無線通信ユニット７と、一対の取付具８とを備えている。２つのＬＥＤモジュール３と、カバー５と、電源ユニット６と、無線通信ユニット７と、２つの取付具８は、取付部材４に取り付けられる。また、光源ユニット２は、図８に示すように、電線２００を備える。電線２００は、器具本体１０の端子台１３と電源ユニット６との電気的接続に用いられる。電線２００は、図８に示すように、第１端２０１で電源ユニット６に接続される。また、電線２００は、第２端２０２に、端子台１３との接続のためのコネクタ２１０を有している。
【００１９】
取付部材４は、正方形の取付板４０と、取付板４０の４つの辺からそれぞれ下向きに突出する４つの側板４１とを有している。取付板４０は、第１方向（上下方向）の両面である、上面４１０及び下面４１１を有する。ただし、取付板４０と４つの側板４１とは、亜鉛鋼板などの金属板が曲げ加工されて一体に形成されることが好ましい。４つの側板４１の各々は、細長い長方形状に形成されている。
【００２０】
また、取付部材４は、図８に示すように、（第１）保持具４３と、（第２）保持具４４と、を備える。第１保持具４３及び第２保持具４４は、電線２００を保持するために用いられる。
【００２１】
第１保持具４３は、図８に示すように、取付板４０の第１方向（上下方向）に直交する第２方向（前後方向）の中央に位置する。また、第１保持具４３は、図８に示すように、取付板４０の第１方向及び第２方向にそれぞれ直交する第３方向（左右方向）において、取付板４０の一端（左端）よりも中央の近くに位置する。第１保持具４３は、図６に示すように、取付板４０の上面４１０から上方に突出する突出片４３１と、突出片４３１の先端から取付板４０の第３方向の他端（右端）側へ突出する覆い片４３２と、を有する。突出片４３１の上下方向の長さは、覆い片４３２と取付板４０との間に、電線２００を配置できるように設定される。つまり、第１保持具４３は、覆い片４３２と取付板４０との間で電線２００を保持する。
【００２２】
第２保持具４４は、図８に示すように、取付板４０の前後方向において、取付板４０の後端よりも中央の近くに位置する。また、第２保持具４４は、取付板４０の左右方向において、取付板４０の左端よりも中央の近くに位置する。第２保持具４４は、図６に示すように、取付板４０の上面４１０から上方に突出する突出片４４１と、突出片４４１の先端から取付板４０の左端側へ突出する覆い片４４２と、を有する。突出片４４１の上下方向の長さは、覆い片４４２と取付板４０との間に、電線２００を配置できるように設定される。つまり、第２保持具４４は、覆い片４４２と取付板４０との間で電線２００を保持する。
【００２３】
なお、第１保持具４３及び第２保持具４４は、取付板４０を形成する金属板の一部を切り欠いて折り曲げることで、取付板４０と一体に形成される。
【００２４】
２つのＬＥＤモジュール３の各々は、長方形状の実装基板３１の実装面（下面）に多数のＬＥＤ３０を実装して構成されている。各ＬＥＤ３０は、例えば、白色光を放射する照明用白色ＬＥＤである。これら複数のＬＥＤ３０は、実装基板３１の実装面に格子状に配置され、実装面に形成されている配線導体（銅はく）を介して互いに電気的に接続されている。また、各実装基板３１の実装面には、配線導体を介して各ＬＥＤ３０と電気的に接続されたレセプタクルコネクタ３２が実装されている。レセプタクルコネクタ３２は、後述するように電源ユニット６の出力線に結線されたプラグコネクタと抜き差し可能に接続される。２つのＬＥＤモジュール３は、取付板４０の下面４１１に、左右方向に間隔を空けて並ぶようにして、ねじ止めにより取り付けられる（図７参照）。
【００２５】
電源ユニット６は、２つのＬＥＤモジュール３の各々を点灯させるように構成される。つまり、電源ユニット６は、光源であるＬＥＤ３０を点灯させるように構成される。電源ユニット６は、プリント配線板６１に電子部品が実装されて構成された電源回路と、この電源回路を収容するケース６０とを有している（図６参照）。電源回路は、入力コネクタ６２、整流器、力率改善回路、降圧型のＤＣ／ＤＣコンバータ、出力コネクタ６３などを備える。入力コネクタ６２は、電線２００（図８参照）を介して端子台１３と電気的に接続される。電源回路は、入力コネクタ６２から入力する交流電力を直流電力に変換した後、変換後の直流電力を出力コネクタ６３から電線（出力線）を介して出力する。直流電力は、出力線の先端に結線されたプラグコネクタ及びレセプタクルコネクタ３２を介して各ＬＥＤモジュール３の各ＬＥＤ３０に供給される。
【００２６】
プリント配線板６１は、長尺の矩形平板状の絶縁基板の部品面に配線導体（銅はく）が形成されている。プリント配線板６１の表面に、入力コネクタ６２、出力コネクタ６３、平滑コンデンサ、チョークコイルなどの、いわゆるリード部品が実装される。そして、プリント配線板６１のはんだ面に電源回路を構成している電子部品のうちの表面実装部品が実装される。ただし、入力コネクタ６２は、プリント配線板６１の長手方向の一端（左端）に実装され、出力コネクタ６３は、プリント配線板６１の長手方向の他端（右端）に実装されている。ケース６０は、図６に示すように、金属製の板材によって長尺の箱状に形成されている。ケース６０は、入力コネクタ６２及び出力コネクタ６３を露出するようにしてプリント配線板６１を内部に収容している。つまり、入力コネクタ６２及び出力コネクタ６３は、ケース６０の長手方向の両端にそれぞれ配置されている。電源ユニット６は、図８に示すように、取付板４０の上面４１０における前端（取付板４０の第２方向の一端）に、ケース６０の長手方向を左右方向に一致させるようにして取付板４０にねじ止めされている。特に、ケース６０は、入力コネクタ６２が取付板４０の左端側、出力コネクタ６３が取付板４０の右端側を向くように配置される。
【００２７】
無線通信ユニット７は、図６に示すように、合成樹脂製のハウジング７０、信号ケーブル７１、プラグコネクタ７２などを備えている。無線通信ユニット７は、ハウジング７０内に収容されているアンテナで受信する無線信号（例えば、９２０ＭＨｚ帯の電波を媒体とする無線信号）から制御指令を取得するように構成されている。なお、無線信号は、送信機から送信され、照明器具１の点灯・消灯及び／又は調光などを行うための制御指令を伝送している。無線通信ユニット７は、信号ケーブル７１並びにプラグコネクタ７２を介して、無線信号から取得した制御指令を電源ユニット６の電源回路へ伝送するように構成されている。なお、プラグコネクタ７２は、電源ユニット６に設けられているレセプタクルコネクタと電気的に接続される。電源ユニット６の電源回路は、無線通信ユニット７から伝送されてくる制御指令に応じて、出力コネクタ６３から出力する直流電力を調整してＬＥＤモジュール３を点灯・消灯及び調光するように構成されている。
【００２８】
無線通信ユニット７は、取付板４０の上面４１０に取り付けられている（図６参照）。取付板４０には、無線通信ユニット７のハウジング７０の一部（アンテナが収容されているアンテナ収容部７００）が挿通される孔４００が設けられている（図５参照）。無線通信ユニット７のハウジング７０は、アンテナ収容部７００が孔４００に挿通された状態で取付板４０の上面４１０に固定されている。ただし、この孔４００は、取付板４０の下面４１１において、２つのＬＥＤモジュール３の間に位置している。したがって、アンテナ収容部７００は、取付板４０の下面４１１における２つのＬＥＤモジュール３の間から下向きに突出する（図７参照）。
【００２９】
一対の取付具８（第１取付具８Ａ，第２取付具８Ｂ）は同一の構成を有している。各取付具８は、取付ばね８０と、取付ばね８０を取付板４０に取り付けるための取付金具８５とを有している（図６参照）。取付ばね８０は、コイル部８１と、２本の腕部（第１腕部８２及び第２腕部８３）と、引掛片８４とを有するねじりコイルばねで構成されている。取付金具８５は、平板状のベース８５０と、ベース８５０に設けられたブリッジ状の支持部８５１と、ベース８５０に設けられた筒状の引掛部８５２とを有している。支持部８５１は、コイル部８１をその軸まわりに回転可能に支持する。引掛部８５２は、取付ばね８０の引掛片８４が引っ掛けられる（図６参照）。２つの取付具８Ａ，８Ｂの取付金具８５は、図８に示すように、取付板４０の上面４１０における前後方向の両端かつ左右方向の中央の位置にねじ止めされる。ここで一対の取付具８Ａ，８Ｂは、光源ユニット２の重心位置を通る直線上にあることが好ましい。各取付ばね８０の第１腕部８２は、取付板４０の外に突出している（図７参照）。各取付ばね８０の第２腕部８３は、取付金具８５に引っ掛けられる（図６参照）。
【００３０】
カバー５は、図６に示すように、正方形状の底部５０と、底部５０の周縁から上向きに立ち上がる周壁部５１と、周壁部５１の上端に設けられた４つの取付部５２とを有している。底部５０と周壁部５１と４つの取付部５２は、アクリル樹脂やポリカーボネート樹脂などの透光性を有する合成樹脂材料によって一体に形成されることが好ましい。また、少なくとも底部５０及び周壁部５１は、その表面にシボ加工が施されることによって光を拡散するように構成されることが好ましい。あるいは、少なくとも底部５０及び周壁部５１は、合成樹脂材料に拡散剤が混入されることによって光を拡散するように構成されることが好ましい。各取付部５２は、周壁部５１の上端から底部５０と平行に突出する長方形状の突片５２０と、鉤形に形成されて周壁部５１の上端から上向きに突出する係合片５２１と、周壁部５１の上端から上向きに突出する突起５２２とを有している。
【００３１】
カバー５は、取付部材４の側板４１の内側に周壁部５１を収めるようにして取付部材４に取り付けられる。ここで、取付部材４の取付板４０において、カバー５の４つの取付部５２と対応する位置、すなわち、取付板４０の４つの辺における長手方向の中央に被取付部４２が１つずつ設けられている（図５及び図６参照）。各被取付部４２は、取付板４０を厚み方向に貫通する取付孔４２０と、取付孔４２０の縁から側板４１に沿うように上向きに突出するかしめ片４２１とを有している。各取付部５２の係合片５２１及び突起５２２は、取付板４０の下から上に向かって、対応する取付孔４２０に挿通される（図６参照）。そして、各かしめ片４２１が内向きにかしめられることにより、係合片５２１がかしめ片４２１に係合する。つまり、カバー５は、側板４１の内側に周壁部５１を収めるようにして取付部材４の取付板４０に取り付けられる（図６参照）。
【００３２】
このように、光源ユニット２では、図８に示すように、電源ユニット６及び第１取付具８Ａは、電源ユニット６と第１取付具８Ａとの間に充電部分が存在しないように、取付板４０の一面（上面４１０）に所定方向（取付板４０の第２方向）に沿って並んでいる。充電部分は、照明器具１において電気が通る部分であり、例えば、電線２００である。特に、本実施形態では、電源ユニット６は、第２取付具８Ｂよりも第１取付具８Ａに近くに配置されている。より詳細には、電源ユニット６と第１取付具８Ａとは、所定方向（取付板４０の第２方向、図８における前後方向）において隣り合うように配置されている。そのため、電源ユニット６と第１取付具８Ａとの間には、充電部分を配置可能な領域（充電領域、配線領域）が確保されていない。
【００３３】
また、電源ユニット６では、ケース６０の長手方向が、所定方向（前後方向）と直交している。ケース６０の長手方向は、厳密な意味で、所定方向と直交している必要はなく、交差していてもよい。また、ケース６０は、取付板４０の上面４１０における左右方向の中央の位置している。さらに、第１取付具８Ａは、取付板４０の上面４１０における左右方向の中央の位置している。これによって、第１取付具８Ａは、電源ユニット６のケース６０の長手方向の中央部に位置する。そのため、第１取付具８Ａは、所定方向（前後方向）において、入力コネクタ６２及び出力コネクタ６３と対向せずにケース６０と対向する。
【００３４】
さらに、第１取付具８Ａとケース６０と取付板４０とは、図９に示すように、ケース６０の取付板４０の上面４１０からの高さＨ１が、第１取付具８Ａの取付板４０の上面４１０からの高さＨ２よりも高くなるように、設計されている。これによって、ケース６０は、作業者の手等が取付部材４と器具本体１０との隙間から器具本体１０内に入り込みすぎるのを抑制する壁として機能する。
【００３５】
また、電線２００は、図８に示すように、第１端２０１がコネクタ６２に電気的に接続され、第２端２０２が電源ユニット６に対して取付具８Ａとは反対側に位置する。ここで、電線２００は、第１保持具４３の覆い片４３２と取付板４０との間、及び第２保持具４４の覆い片４４２と取付板４０との間を通るようにして、取付板４０に固定される。これによって、電線２００の第２端２０２は、電源ユニット６に対して取付具８Ａとは反対側にあるように取付板４０に保持される。
【００３６】
さらに、２つのＬＥＤモジュール３（光源）は、図５及び図６に示すように、取付板４０の一面（上面４１０）とは反対側の面（取付板４０の下面４１１）に取り付けられる。そのため、取付板４０の一面（上面４１０）に光源ユニット２を取り付ける場合に比べれば、より大きな光源ユニット２を採用できる。
【００３７】
１．２  施工作業
次に、照明器具１の天井への施工作業について説明する。施工作業を行う作業者は、まず、底壁１１０の挿通孔１１００に電源線を挿通した後、ボルト挿通孔１１０１に挿通した吊りボルト９０にナット９１を締め付けることで器具本体１０を吊りボルトに取り付ける（図３参照）。また、作業者は、挿通孔１１００から引き込んだ電源線を端子台１３に結線することで器具本体１０を天井に配設する。なお、器具本体１０は、収容部１１と反射部材１２を導通部１１３で電気的に導通させているので、収容部１１と反射部材１２の両方に接地工事を行う手間を省くことができる。
【００３８】
続いて、作業者は、後側の側板１２１Ｄに設けられた貫通孔１２４を通して、後側の側壁１１１Ｄに設けられた引掛部１１４Ｂの孔１１４１に後側の取付具（第２取付具）８Ｂの取付ばね８０の第１腕部８２を挿入する。このとき、作業者は、後側の取付具８Ｂの取付ばね８０の第１腕部８２を、後側の側壁１１１Ｄの引掛部１１４Ｂが有する仮保持片１１４０に引っ掛けることで光源ユニット２を器具本体１０に仮保持させることができる。作業者は、光源ユニット２を器具本体１０に仮保持させた状態で端子台１３と電源ユニット６の結線作業を行う。特に、電線２００は、第２端２０２が電源ユニット６に対して第１取付具８Ａとは反対側に位置するから、比較的、第２取付具８Ｂの近くにある。そのため、結線作業が行いやすい。
【００３９】
そして、作業者は、前側の側壁１１１Ｃに設けられた引掛部１１４Ａの孔１１４１に前側の取付具８Ａの取付ばね８０の第１腕部８２を差し込む。このとき、作業者は、第１取付具８Ａの取付ばね８０を押圧して撓ませる必要がある。しかしながら、電源ユニット６と第１取付具８Ａとの間に充電部分（例えば電線２００）が存在しない。そのため、作業者が誤って充電部分に触れてしまう可能性が低い。よって、光源ユニット２を器具本体１０に取り付ける作業の安全性を向上できる。
【００４０】
ここで、電源ユニット６のケース６０の長手方向の両端には入力コネクタ６２及び出力コネクタ６３が存在するが、ケース６０の長手方向は電源ユニット６と第１取付具８Ａとが並ぶ所定方向と交差している。作業者が入力コネクタ６２や出力コネクタ６３のような充電部分に触る可能性が低い。よって、光源ユニットを器具本体に取り付ける作業の安全性をさらに向上できる。
【００４１】
特に、第１取付具８Ａは、前後方向において、入力コネクタ６２及び出力コネクタ６３と対向せずにケース６０と対向している。そのため、作業者が電源ユニット６に触れてしまった場合でも、入力コネクタ６２や出力コネクタ６３のような充電部分ではなく、ケース６０触れることなる。よって、光源ユニット２を器具本体１０に取り付ける作業の安全性をさらに向上できる。
【００４２】
さらに、図９に示すように、ケース６０の取付板４０の上面４１０からの高さＨ１は、第１取付具８Ａの取付板４０の上面４１０からの高さＨ２よりも高い。そのため、ケース６０によって、作業者の手等が取付板４０と器具本体１０との隙間から器具本体１０内に入り込みすぎるのが抑制される。
【００４３】
また、電線２００は、第２端２０２が電源ユニット６に対して第１取付具８Ａとは反対側に位置するから、作業者が、電線２００の第２端２０２に触れてしまう可能性が低い。よって、光源ユニット２を器具本体１０に取り付ける作業の安全性をさらに、向上できる。
【００４４】
この後、作業者は、光源ユニット２を持ち上げて収容部１１内に収容する。光源ユニット２が収容部１１内に収容されると、取付具８Ａ，８Ｂの取付ばね８０の第１腕部８２が側壁１１１Ｃ，１１１Ｄの引掛部１１４Ａ，１１４Ｂの縁に引っ掛かる。その結果、光源ユニット２は、２つの取付ばね８０のばね力によって器具本体１０に支持される。つまり、光源ユニット２は、第１取付具８Ａ及び第２取付具８Ｂを引掛部（第１結合部）１１４Ａ及び引掛部（第２結合部）１１４Ｂにそれぞれ結合することで、器具本体１０に取り付けられる。ここで、取付具８と引掛部１１４との結合作業は、後に行う方が目視して行い難い。そのため、先に、第２取付具８Ｂと引掛部１１４Ｂとの結合作業を行うことで、光源ユニット２を器具本体１０に取り付ける作業の安全性をさらに向上できる。
【００４５】
以上のような手順で照明器具１の施工作業が完了する。なお、取付部材４の取付板４０の上面４１０が収容部１１の規制部１１５の下端に当たることによって、収容部１１内における光源ユニット２の位置が規制されている（図７参照）。そのため、照明器具１は、電源ユニット６が取付板４０に当たらず、器具本体１０から光源ユニット２に加わる応力の低減を図ることが可能になる。
【００４６】
１．３  まとめ
以上述べたように、本実施形態の照明器具１では、電源ユニット６と第１取付具８Ａとの間に充電部分（例えば電線２００）が存在しない。そのため、作業者が、第１取付具８Ａと引掛部１１４Ａとの結合作業を行う際に、誤って充電部分（例えば、電線２００）に触れてしまう可能性が低い。よって、光源ユニット２を器具本体１０に取り付ける作業の安全性を向上できる。
【００４７】
２．変形例
以上説明した実施形態は、本発明の様々な実施形態の一つに過ぎない。また、上記実施形態は、本発明の目的を達成できれば、設計等に応じて種々の変更が可能である。以下に、上記実施形態の変形例を列挙する。
【００４８】
例えば、光源ユニット２が備える２つの取付具８（第１取付具８Ａ，第２取付具８Ｂ）は、必ずしも同一構造でなくてもかまわない。例えば、光源ユニット２の変形例として、図１０に示すように片側の第２取付具８Ｂが取付ばね８０の代わりに鉤形の引掛金具８６を有していてもかまわない。引掛金具８６は、鉤形に形成されて光源ユニット２の取付部材４の端から外向きに突出している。引掛金具８６は、器具本体１０の側壁１１１Ｄの引掛部１１４Ｂに引っ掛けられて光源ユニット２を器具本体１０に仮保持させることができる。そして、光源ユニット２は、引掛金具８６が後側の側壁１１１Ｄの引掛部１１４Ｂに引っ掛けられ、第１取付具８Ａの取付ばね８０が前側の側壁１１１Ｃの引掛部１１４Ａに引っ掛けられることにより、器具本体１０の収容部１１に支持される。
【００４９】
上記実施形態では、充電部分は、電線２００である。上述したように、充電部分は、照明器具１において電気が通る部分（通電部分ともいえる）である。そのため、充電部分としては、電線２００に加えて、端子等の電線接続部、プリント基板等の回路基板等が挙げられる。
【００５０】
例えば、光源ユニット２において、ＬＥＤモジュール３の数は特に限定されない。また、光源ユニット２は、必ずしも、ＬＥＤモジュール３と、カバー５と、無線通信ユニット７と、を備えていなくてもよい。
【００５１】
また、照明器具１は、埋込型の照明器具に限定されず、例えば、天井に直付けされる直付け型の照明器具であってもよい。
【００５２】
３．態様
以上述べた実施形態及び変形例から明らかなように、第１の態様の照明器具（１）は、光源ユニット（２）と、前記光源ユニット（２）が取り付けられる器具本体（１０）と、を備える。前記光源ユニット（２）は、光源（３０）を点灯させる電源ユニット（６）と、取付具（８Ａ）と、前記電源ユニット（６）と前記取付具（８Ａ）とが取り付けられる取付板（４０）と、を有する。前記器具本体（１０）は、前記光源ユニット（２）を前記器具本体（１０）に取り付けるために前記取付具（８Ａ）と結合される結合部（１１４Ａ）を有する。前記電源ユニット（６）及び前記取付具（８Ａ）は、前記電源ユニット（６）と前記取付具（８Ａ）との間に充電部分（２００）が存在しないように、前記取付板（４０）の一面（４１０）に所定方向に沿って並ぶ。第１の態様によれば、光源ユニット（２）を器具本体（１０）に取り付ける作業の安全性を向上できる。
【００５３】
第２の態様の照明器具（１）は、第１の態様との組み合わせにより実現され得る。第２の態様では、前記電源ユニット（６）は、長尺の箱状のケース（６０）と、前記ケースの長手方向の一端に配置されるコネクタ（６２，６３）と、を有する。前記ケース（６０）の長手方向は、前記所定方向と交差する。第２の態様によれば、光源ユニット（２）を器具本体（１０ｐ）に取り付ける作業の安全性をさらに向上できる。
【００５４】
第３の態様の照明器具（１）は、第２の態様との組み合わせにより実現され得る。第３の態様では、前記取付具（８Ａ）は、前記所定方向において、前記コネクタ（６２，６３）と対向せずに前記ケース（６０）と対向する。第３の態様によれば、光源ユニット（２）を器具本体（１０）に取り付ける作業の安全性をさらに向上できる。
【００５５】
第４の態様の照明器具（１）は、第２又は第３の態様との組み合わせにより実現され得る。第４の態様では、前記光源ユニット（２）は、前記充電部分（２００）として、電線（２００）を有する。前記電線（２００）は、第１端（２０１）が前記コネクタ（６２）に電気的に接続され、第２端（２０２）が前記電源ユニット（６）に対して前記取付具（８Ａ）とは反対側に位置する。第４の態様によれば、光源ユニット（２）を器具本体（１０）に取り付ける作業の安全性をさらに向上できる。
【００５６】
第５の態様の照明器具（１）は、第１〜第４の態様のいずれか一つとの組み合わせにより実現され得る。第５の態様では、前記取付具（８Ａ）は、第１取付具（８Ａ）であり、前記光源ユニット（２）は、第２取付具（８Ｂ）を有する。前記結合部（１１４Ａ）は、第１結合部（１１４Ａ）であり、前記器具本体（１０）は、前記第２取付具（８Ｂ）と結合される第２結合部（１１４Ｂ）を有する。前記光源ユニット（２）は、前記第１取付具（８Ａ）及び前記第２取付具（８Ｂ）を前記第１結合部（１１４Ａ）及び前記第２結合部（１１４Ｂ）にそれぞれ結合することで、前記器具本体（１０）に取り付けられる。前記第１取付具（８Ａ）と前記第２取付具（８Ｂ）とは、前記所定方向において、前記取付板（４０）の前記一面（４１０）の両端にそれぞれ配置される。前記電源ユニット（６）は、前記第２取付具（８Ｂ）よりも前記第１取付具（８Ａ）に近い。第５の態様によれば、光源ユニット（２）を器具本体（１０）に取り付ける作業の安全性をさらに向上できる。
【００５７】
第６の態様の照明器具（１）は、第１〜第５の態様のいずれか一つとの組み合わせにより実現され得る。第６の態様では、前記取付具（８Ａ）は、取付ばね（８０）を有する。前記結合部（１１４）は、前記取付具（８Ａ）の前記取付ばね（８０）が差し込まれる孔（１１４１）を有する。第６の態様によれば、光源ユニット（２）を器具本体（１０）に取り付ける作業が容易に行える。
【００５８】
第７の態様の照明器具（１）は、第１〜第６の態様のいずれか一つとの組み合わせにより実現され得る。第７の態様では、前記光源ユニット（２）は、前記光源（３０）を有する。前記光源（３０）は、前記取付板（４０）における前記一面（４１０）とは反対側の面（４１１）に取り付けられる。第７の態様によれば、取付板（４０）における一面（４１０）に光源ユニット（２）を取り付ける場合に比べれば、より大きな光源ユニット（２）を採用できる。
【符号の説明】
【００５９】
１    照明器具
１０  器具本体
１１４（１１４Ａ）  引掛部（結合部，第１結合部）
１１４（１１４Ｂ）  引掛部（結合部、第２結合部）
２    光源ユニット
２００  電線（充電部分）
２０１  第１端
２０２  第２端
４０    取付板
４１０  一面（上面）
３０    ＬＥＤ（光源）
６    電源ユニット
６０  ケース
６２  入力コネクタ（コネクタ）
６３  出力コネクタ（コネクタ）
８（８Ａ）  取付具（第１取付具）
８（８Ｂ）  取付具（第２取付具）
【図１】
2018147667.tif 000003
【図２】
2018147667.tif 000004
【図３】
2018147667.tif 000005
【図４】
2018147667.tif 000006
【図５】
2018147667.tif 000007
【図６】
2018147667.tif 000008
【図７】
2018147667.tif 000009
【図８】
2018147667.tif 000010
【図９】
2018147667.tif 000011
【図１０】
2018147667.tif 000012